【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
ＣＡＤシステムを用いて所期の電子回路基板の配線パターン図形を作図する基板設計工程と、その設計内容に従い、複数の配線層が絶縁層を介して積層されるとともに、その配線層に作り込まれた配線部が導通する被メッキ部位が基板表面に露出して形成される一方、該配線部が接続する通電用メタライズ層が側面に形成された電子回路基板を作製する基板作製工程と、前記通電用メタライズ層及び前記配線部を介して、前記電子回路基板の前記被メッキ部位にメッキするメッキ工程とを含み、前記基板設計工程に使用する前記ＣＡＤシステムとして、
複数の配線層が絶縁層を介して積層されるとともに、その配線層に作り込まれた配線部が導通する被メッキ部位が基板表面に露出して形成される一方、該配線部が接続する通電用メタライズ層が側面に形成された電子回路基板を設計するためのＣＡＤシステムであって、配線部や被メッキ部位の図形である配線パターン図形の作図画面を表示する作図画面表示手段と、基板中に形成すべき配線層に対応する複数の作図レイヤを、前記作図画面に対して設定する作図レイヤ設定手段と、前記配線パターン図形の作図単位であるオブジェクトを前記作図レイヤに入力するオブジェクト入力手段と、異配線層間の配線部同士を接続するビアの図形を、それら配線層に対応する作図レイヤに入力するビア入力手段と、前記基板の主面外形に対応する基準領域と、前記通電用メタライズ層に対応する通電接続領域を含んだ形で前記基準領域の外側に形成される接続判定対象領域とを、前記作図画面に対して設定する領域設定手段と、同一作図レイヤ上にて互いに接続された状態で連なって位置する複数のオブジェクト同士、又は異なる作図レイヤ間にて前記ビアの図形を介して互いに接続されるオブジェクト同士を、一体の配線ネット図形として登録する配線ネット図形登録手段と、その登録された配線ネット図形と前記接続判定対象領域との位置関係に基づいて、該配線ネット図形と通電接続領域との接続状態に関する情報を生成する配線ネット接続情報生成手段と、その生成された配線ネット接続情報を出力する配線ネット接続情報出力手段とを備え、
前記配線ネット接続情報生成手段は、前記配線ネット図形のうち、前記通電接続領域に接続しているもの（以下、接続ネットという）と、そうでないもの（以下、非接続ネットという）とを判別する配線ネット判別手段を含み、その判別結果を前記配線ネット接続情報として生成するものであり、
前記基準領域は四辺形状に形成されており、前記通電接続領域は該基準領域の４つの辺の全てに対応して形成されており、前記配線ネット判別手段は、前記基準領域の４辺のうち特定の隣接する２辺に対応する２つの通電接続領域（以下、第一接続領域対という）にまたがって接続する配線ネット図形（以下、第一対角接続ネット図形という）と、残余の２辺に対応する２つの通電接続領域（以下、第二接続領域対という）にまたがって接続する配線ネット図形（以下、第二対角接続ネット図形という）とが存在するか否かを判別する対角接続ネット図形判別手段と、前記第一接続領域対と前記第二接続領域対との間にまたがって接続する接続ネット図形（以下、補対角接続ネット図形という）が存在するか否かを判別する補対角接続ネット図形判別手段とを備え、前記第一対角接続ネット図形と前記第二対角接続ネット図形とが双方ともに存在し、かつ前記補対角接続ネット図形は存在しない状態を正常接続状態として、前記配線ネット接続情報生成手段は、それら対角接続ネット図形判別手段と補対角接続ネット図形判別手段との判別結果に基づき、前記正常接続状態が実現されているか否かに関する情報を前記配線ネット接続情報として生成するＣＡＤシステム、
を使用することを特徴とする電子回路基板の製造方法。
【請求項２】
ＣＡＤシステムを用いて所期の電子回路基板の配線パターン図形を作図する基板設計工程と、その設計内容に従い、複数の配線層が絶縁層を介して積層されるとともに、その配線層に作り込まれた配線部が導通する被メッキ部位が基板表面に露出して形成される一方、該配線部が接続する通電用メタライズ層が側面に形成された電子回路基板を作製する基板作製工程と、前記通電用メタライズ層及び前記配線部を介して、前記電子回路基板の前記被メッキ部位にメッキするメッキ工程とを含み、前記基板設計工程に使用する前記ＣＡＤシステムとして、
複数の配線層が絶縁層を介して積層されるとともに、その配線層に作り込まれた配線部が導通する被メッキ部位が基板表面に露出して形成される一方、該配線部が接続する通電用メタライズ層が側面に形成された電子回路基板を設計するためのＣＡＤシステムであって、配線部や被メッキ部位の図形である配線パターン図形の作図画面を表示する作図画面表示手段と、基板中に形成すべき配線層に対応する複数の作図レイヤを、前記作図画面に対して設定する作図レイヤ設定手段と、前記配線パターン図形の作図単位であるオブジェクトを前記作図レイヤに入力するオブジェクト入力手段と、異配線層間の配線部同士を接続するビアの図形を、それら配線層に対応する作図レイヤに入力するビア入力手段と、前記基板の主面外形に対応する基準領域と、前記通電用メタライズ層に対応する通電接続領域を含んだ形で前記基準領域の外側に形成される接続判定対象領域とを、前記作図画面に対して設定する領域設定手段と、同一作図レイヤ上にて互いに接続された状態で連なって位置する複数のオブジェクト同士、又は異なる作図レイヤ間にて前記ビアの図形を介して互いに接続されるオブジェクト同士を、一体の配線ネット図形として登録する配線ネット図形登録手段と、その登録された配線ネット図形と前記接続判定対象領域との位置関係に基づいて、該配線ネット図形と通電接続領域との接続状態に関する情報を生成する配線ネット接続情報生成手段と、その生成された配線ネット接続情報を出力する配線ネット接続情報出力手段とを備え、
前記配線ネット接続情報生成手段は、前記配線ネット図形のうち、前記通電接続領域に接続しているもの（以下、接続ネットという）と、そうでないもの（以下、非接続ネットという）とを判別する配線ネット判別手段を含み、その判別結果を前記配線ネット接続情報として生成するものであり、
前記基準領域は四辺形状に形成されており、前記通電接続領域は該基準領域の４つの辺の全てに対応して形成されており、前記配線ネット判別手段は、前記基準領域の４辺のうち、ある隣接する２辺に対応する２つの通電接続領域にまたがって接続する配線ネット図形を対角接続ネット図形として定義したときに、全ての隣接する通電接続領域対に対して前記対角接続ネット図形が存在するか否かを判別する対角接続ネット図形判別手段を備え、全ての隣接する通電接続領域対に対して前記対角接続ネット図形が存在する状態を正常接続状態として、前記配線ネット接続情報生成手段は、該対角接続ネット図形判別手段との判別結果に基づき、前記正常接続状態が実現されているか否かに関する情報を前記配線ネット接続情報として生成するＣＡＤシステム、
を使用することを特徴とする電子回路基板の製造方法。
【請求項３】
使用する前記ＣＡＤシステムにおいて、前記配線ネット図形登録手段は、新たに入力されたオブジェクトが、既に登録されている配線ネット図形のオブジェクトに接続されているか否かを判定するオブジェクト接続判定手段と、そのオブジェクト接続判定手段により接続されていると判定された場合には、そのオブジェクトを該配線ネット図形に組み込む一方、接続せずと判定した場合にはそのオブジェクトを新たな配線ネット図形として登録する登録制御手段とを備える請求項１又は２に記載の電子回路基板設計用ＣＡＤシステム。
【請求項４】
使用する前記ＣＡＤシステムにおいて、前記配線ネット図形登録手段は、新たに入力されたビアが、既に登録されている配線ネット図形同士を接続するものであるか否かを判定するビア接続判定手段と、そのビア接続判定手段により、前記ビアが既に登録されている配線ネット図形同士を接続するものであると判定された場合には、それらを統合して１つの配線ネット図形として登録する登録制御手段とを備える請求項１ないし３のいずれか１項に記載の電子回路基板の製造方法。
【請求項５】
使用する前記ＣＡＤシステムにおいて、前記配線ネット判別手段は、前記通電接続領域との間で所定の位置関係を満足しつつこれに接続しているものを正常接続ネット、該位置関係を満足せずにこれに接続しているものを異常接続ネットとして、互いに区別した状態で判別できるものとされている請求項１ないし４のいずれか１項に記載の電子回路基板の製造方法。
【請求項６】
使用する前記ＣＡＤシステムにおいて、前記配線ネット図形は、その通電接続領域との接続部分が直線状の図形領域となっており、前記配線ネット判別手段は、前記通電接続領域の接続縁に対し前記接続部分が傾斜状態で接続しているものを、前記異常接続ネットとして判別するものとなっている請求項５記載の電子回路基板の製造方法。
【請求項７】
使用する前記ＣＡＤシステムにおいて、個々の配線ネット図形を特定するためのネット特定情報を記憶したネット特定情報記憶手段が設けられ、前記配線ネット接続情報生成手段は、前記接続ネット又は前記非接続ネットのいずれかに対応するネット特定情報を前記ネット特定情報記憶手段から読み出すネット特定情報読出手段を備え、前記配線ネット接続情報出力手段は、その読み出されたネット特定情報の内容を表示及び／又は印刷出力するネット特定情報出力手段を含む請求項１ないし６のいずれか１項に記載の電子回路基板の製造方法。
【請求項８】
使用する前記ＣＡＤシステムにおいて、前記配線ネット図形のネット画像データを記憶するネット画像データ記憶手段と、そのネット画像データに基づいて、前記配線ネット図形の画像を表示するネット図形画像表示手段とを備え、前記配線ネット接続情報生成手段は、前記ネット図形画像表示手段に対し、前記接続ネット及び前記非接続ネットの一方のものの画像を他方のものの画像と識別可能な状態で表示させるネット図形画像表示制御手段を備えている請求項１ないし７のいずれか１項に記載の電子回路基板の製造方法。
【請求項９】
使用する前記ＣＡＤシステムにおいて、前記作図画面表示手段は、前記作図画面上に前記配線ネット図形画像を表示させるものとして前記ネット図形画像表示手段に兼用されており、前記ネット図形画像表示制御手段は、前記作図画面上において前記非接続ネットの表示状態を前記接続ネットの表示状態と異ならせるものとされ、さらに、前記作図画面上において、その前記非接続ネットの図形を修正するための修正入力手段と、その修正入力の内容に基づいて、前記ネット画像データの内容を修正後のものに更新するネット画像データ更新手段とを含む請求項８記載の電子回路基板の製造方法。